(57)【要約】【課題】紙葉類のばらつきの影響を受けずに高精度の判別を行うことが可能な紙葉類処理システムを提供する。【解決手段】紙幣処理システム１００は、ＡＴＭ２００と、データベースを有するホストコンピュータ３００とを備える。ＡＴＭ２００は、紙幣の特徴を読み取った場合に、紙幣の特徴量をホストコンピュータ３００に送信する。ホストコンピュータ３００は、紙幣の特徴量を受信した場合に、紙幣がデータベースに登録されているか否かを判断する。ホストコンピュータ３００は、紙幣がデータベースに登録されている場合に、データベースに登録された紙幣の特徴量に基づいて判別値を決定し、ＡＴＭ２００に送信する。ＡＴＭ２００は、ホストコンピュータ３００から受信した判別値を用いて紙幣の真偽を判別する。【選択図】図１
2012014539.tif 000002
【特許請求の範囲】
【請求項１】
紙葉類の特徴を読み取る読取部と、前記読取部により読み取られた特徴に基づいて紙葉類の真偽を判別する判別部とを含む紙葉類判別装置と、
紙葉類の情報を記憶する記憶部と、前記記憶部を制御する制御部とを含む紙葉類情報管理装置と、を備え、
前記紙葉類判別装置は、前記紙葉類情報管理装置と通信するための第１通信部を含むとともに、前記紙葉類情報管理装置は、前記紙葉類判別装置と通信するための第２通信部を含み、
前記紙葉類判別装置は、前記読取部により所定の紙葉類の特徴を読み取った場合に、前記第１通信部から前記所定の紙葉類の特徴を前記紙葉類情報管理装置に送信し、
前記紙葉類情報管理装置は、前記第２通信部により前記所定の紙葉類の特徴を受信した場合に、前記制御部により、前記所定の紙葉類の特徴に基づいて、前記所定の紙葉類の情報が前記記憶部に記憶されているか否かを判断し、
前記紙葉類情報管理装置は、前記制御部により前記所定の紙葉類の情報が前記記憶部に記憶されていると判断された場合に、前記制御部が前記記憶部に記憶された所定の紙葉類の情報に基づいて判別値を決定し、前記第２通信部から前記判別値を前記紙葉類判別装置に送信し、
前記紙葉類判別装置は、前記第１通信部により前記判別値を受信した場合に、前記判別部により、前記判別値を用いて前記所定の紙葉類の真偽を判別する、ことを特徴とする紙葉類処理システム。
【請求項２】
請求項１に記載の紙葉類処理システムにおいて、
前記紙葉類情報管理装置の制御部は、前記記憶部に記憶された所定の紙葉類の情報に基づいて判別値を決定した後に、前記所定の紙葉類の特徴を用いて、前記記憶部に記憶された所定の紙葉類の情報を更新する、ことを特徴とする紙葉類処理システム。
【請求項３】
請求項１または請求項２に記載の紙葉類処理システムにおいて、
前記紙葉類情報管理装置の制御部は、前記所定の紙葉類の情報が前記記憶部に記憶されていないと判断した場合に、前記所定の紙葉類の特徴を用いて、前記所定の紙葉類の情報を前記記憶部に登録する、ことを特徴とする紙葉類処理システム。
【請求項４】
請求項１ないし請求項３のいずれかに記載の紙葉類処理システムにおいて、
前記紙葉類情報管理装置の制御部は、前記所定の紙葉類の情報が前記記憶部に記憶されていないと判断した場合に、前記第２通信部から予め設定された判別値を前記紙葉類判別装置に送信する、ことを特徴とする紙葉類処理システム。
【請求項５】
請求項１ないし請求項４のいずれかに記載の紙葉類処理システムにおいて、
紙葉類の特徴には、紙葉類に印刷された記番号が含まれている、ことを特徴とする紙葉類処理システム。
【請求項６】
紙葉類の特徴を読み取る読取部と、
前記読取部により読み取られた特徴に基づいて紙葉類の真偽を判別する判別部と、
紙葉類の情報を記憶する紙葉類情報管理装置と通信するための通信部と、を備え、
前記通信部は、前記読取部により所定の紙葉類の特徴が読み取られた場合に、前記所定の紙葉類の情報に基づいて決定された判別値を前記紙葉類情報管理装置から受信し、
前記判別部は、前記通信部が受信した判別値を用いて、前記所定の紙葉類の真偽を判別する、ことを特徴とする紙葉類判別装置。
【請求項７】
請求項６に記載の紙葉類判別装置において、
前記通信部は、前記読取部により所定の紙葉類の特徴が読み取られた場合に、前記所定の紙葉類の特徴を前記紙葉類情報管理装置に送信する、ことを特徴とする紙葉類判別装置。
【発明の詳細な説明】
【技術分野】
【０００１】
本発明は、紙葉類の真偽を判別する紙葉類判別装置およびそれを備えた紙葉類処理システムに関する。
【背景技術】
【０００２】
従来、紙葉類の特徴を読み取るセンサと、センサにより読み取られた紙葉類の特徴量に基づいて紙葉類の真偽を判別する判別部とを備えた紙葉類判別装置が知られている。このような紙葉類判別装置では、たとえば、真偽判別の基準となる判別値として最大値と最小値とが予め設定され、最大値から最小値までの範囲が基準範囲として設定される。そして、判別部は、紙葉類の特徴量が基準範囲に含まれる場合に、当該紙葉類を真であると判別し、紙葉類の特徴量が基準範囲に含まれない場合に、当該紙葉類を偽券であると判別する。
【０００３】
上記の基準範囲は、センサの出力のばらつき、紙葉類の読取時の位置のばらつき、紙葉類の経年変化などを考慮して設定されている。ここで、基準範囲を広げた場合には、偽造券を真券であると誤判別するおそれが大きくなり、金融機関等に損害が発生するおそれがある。一方、基準範囲を狭くした場合には、真券を偽造券であると誤判別するおそれが大きくなり、真券の返却率が増加することにより、利用者の利便性が低下するおそれがある。
【０００４】
そこで、従来では、基準範囲の適正化を図る紙葉類判別装置が種々提案されている（たとえば、特許文献１〜５参照）。
【０００５】
上記特許文献１には、センサの出力信号を補正することにより、センサのばらつきに起因して基準範囲が広がるのを抑制することが可能な紙幣識別装置が開示されている。
【０００６】
上記特許文献２および３には、係員が利用履歴に基づいて基準範囲を調整することが可能な紙葉類取引装置が開示されている。
【０００７】
上記特許文献４および５には、取引内容や利用者に応じて基準範囲が制御される紙葉類判別装置が開示されている。
【先行技術文献】
【特許文献】
【０００８】
【特許文献１】特開２００８−１４６１２３号公報
【特許文献２】特開２００５−２０８９５５号公報
【特許文献３】特開２００８−１５８１３号公報
【特許文献４】特開２００３−２８１６０３号公報
【特許文献５】特開２００８−４０６３７号公報
【発明の概要】
【発明が解決しようとする課題】
【０００９】
しかしながら、上記特許文献１〜５に開示された従来の紙葉類判別装置では、紙葉類自体のばらつき（紙葉類の印刷や紙質等のばらつき）を考慮する必要があるので、その分、基準範囲をある程度広くする必要がある。このため、偽造券や損券などを真券であると誤判別するおそれが大きくなるので、高い判別精度を実現することが困難であるという問題点がある。
【００１０】
本発明は、上述した課題を解決するものであって、その目的とするところは、紙葉類のばらつきの影響を受けずに高精度の判別を行うことが可能な紙葉類判別装置および紙葉類処理システムを提供することである。
【課題を解決するための手段】
【００１１】
本発明の紙葉類処理システムは、紙葉類の特徴を読み取る読取部と、読取部により読み取られた特徴に基づいて紙葉類の真偽を判別する判別部とを含む紙葉類判別装置と、紙葉類の情報を記憶する記憶部と、記憶部を制御する制御部とを含む紙葉類情報管理装置とを備える。紙葉類判別装置は、紙葉類情報管理装置と通信するための第１通信部を含むとともに、紙葉類情報管理装置は、紙葉類判別装置と通信するための第２通信部を含む。紙葉類判別装置は、読取部により所定の紙葉類の特徴を読み取った場合に、第１通信部から所定の紙葉類の特徴を紙葉類情報管理装置に送信する。紙葉類情報管理装置は、第２通信部により所定の紙葉類の特徴を受信した場合に、制御部により、所定の紙葉類の特徴に基づいて、所定の紙葉類の情報が記憶部に記憶されているか否かを判断する。紙葉類情報管理装置は、制御部により所定の紙葉類の情報が記憶部に記憶されていると判断された場合に、制御部が記憶部に記憶された所定の紙葉類の情報に基づいて判別値を決定し、第２通信部から判別値を紙葉類判別装置に送信する。紙葉類判別装置は、第１通信部により判別値を受信した場合に、判別部により、判別値を用いて所定の紙葉類の真偽を判別する。
【００１２】
このように構成することによって、所定の紙葉類の情報が記憶部に記憶されている場合には、所定の紙葉類が一意に特定され、その紙葉類の特徴に応じた判別値が決定される。このため、紙葉類自体のばらつきを考慮して広い基準範囲を設定する必要がなく、紙葉類に応じて決定された固有の判別値を用いて基準範囲を狭く設定することで、偽造券や損券などが真券であると誤判別されにくくなる。これにより、紙葉類の真偽判別精度の向上を図ることができる。
【００１３】
上記紙葉類処理システムにおいて、紙葉類情報管理装置の制御部は、記憶部に記憶された所定の紙葉類の情報に基づいて判別値を決定した後に、所定の紙葉類の特徴を用いて、記憶部に記憶された所定の紙葉類の情報を更新するようにしてもよい。
【００１４】
上記紙葉類処理システムにおいて、紙葉類情報管理装置の制御部は、所定の紙葉類の情報が記憶部に記憶されていないと判断した場合に、所定の紙葉類の特徴を用いて、所定の紙葉類の情報を記憶部に登録するようにしてもよい。
【００１５】
上記紙葉類処理システムにおいて、紙葉類情報管理装置の制御部は、所定の紙葉類の情報が記憶部に記憶されていないと判断した場合に、第２通信部から予め設定された判別値を紙葉類判別装置に送信するようにしてもよい。
【００１６】
上記紙葉類処理システムにおいて、紙葉類の特徴には、紙葉類に印刷された記番号が含まれていてもよい。
【００１７】
また、本発明の紙葉類判別装置は、紙葉類の特徴を読み取る読取部と、読取部により読み取られた特徴に基づいて紙葉類の真偽を判別する判別部と、紙葉類の情報を記憶する紙葉類情報管理装置と通信するための通信部とを備え、通信部は、読取部により所定の紙葉類の特徴が読み取られた場合に、所定の紙葉類の情報に基づいて決定された判別値を紙葉類情報管理装置から受信し、判別部は、通信部が受信した判別値を用いて、所定の紙葉類の真偽を判別する。
【００１８】
上記紙葉類判別装置において、通信部は、読取部により所定の紙葉類の特徴が読み取られた場合に、所定の紙葉類の特徴を紙葉類情報管理装置に送信するようにしてもよい。
【発明の効果】
【００１９】
本発明によれば、紙葉類のばらつきの影響を受けずに高精度の判別を行うことが可能な紙葉類判別装置および紙葉類処理システムを提供することができる。
【図面の簡単な説明】
【００２０】
【図１】本発明の一実施形態による紙幣処理システムの構成を示したブロック図である。
【図２】図１のＡＴＭの概略を示した図である。
【図３】図１のホストコンピュータの記憶部を説明するための図である。
【図４】図１のホストコンピュータの記憶部を説明するための図である。
【図５】真券を読み取った際の特徴量の頻度分布を示したグラフである。
【図６】図１のＡＴＭの入金取引時の動作を説明するためのフローチャートである。
【図７】図１のホストコンピュータの入金取引時の動作を説明するためのフローチャートである。
【図８】算出される判別値を説明するためのグラフである。
【図９】データベースが更新された状態を説明するための図である。
【図１０】データベースに紙幣が登録された状態を説明するための図である。
【発明を実施するための形態】
【００２１】
以下、本発明の一実施形態について、図面を参照しながら説明する。
【００２２】
まず、図１〜図５を参照して、本発明の一実施形態による紙幣処理システム１００の構成について説明する。なお、紙幣処理システム１００は、本発明の「紙葉類処理システム」の一例である。
【００２３】
紙幣処理システム１００は、図１に示すように、ＡＴＭ（Automated Teller Machine：現金自動預け払い機）２００と、ＡＴＭ２００がネットワーク１０１を介して接続されるホストコンピュータ３００とを備えている。なお、図１では、簡略化のために、ＡＴＭ２００を１つだけ示したが、実際には、複数のＡＴＭ２００がネットワーク１０１を介してホストコンピュータ３００に接続されている。また、ＡＴＭ２００は、本発明の「紙葉類判別装置」の一例であり、ホストコンピュータ３００は、本発明の「紙葉類情報管理装置」の一例である。
【００２４】
ＡＴＭ２００は、利用者が紙幣の入金などの取引を行うために、金融機関などに設置されている。このＡＴＭ２００は、タッチパネル２０１と、モータ２０２と、センサ２０３と、通信部２０４と、制御部２０５とを含んでおり、これらはバス２００ａを介して接続されている。なお、センサ２０３は、本発明の「読取部」の一例であり、通信部２０４は、本発明の「第１通信部」の一例であり、制御部２０５は、本発明の「判別部」の一例である。
【００２５】
タッチパネル２０１は、表示部や入力部を有しており、取引内容を表示したり、利用者からの指示を受け付ける。モータ２０２は、後述する搬送ローラ２０７を駆動する。センサ２０３は、可視光や紫外光を用いた光センサと、磁気センサとを有しており、紙幣のイメージデータや磁気データなどの特徴を読み取る。
【００２６】
通信部２０４は、ネットワーク１０１を介してホストコンピュータ３００と通信するために設けられている。制御部２０５は、ＣＰＵ２０５ａと、ＲＯＭ２０５ｂと、ＲＡＭ２０５ｃとを含んでおり、ＡＴＭ２００の動作を制御する。
【００２７】
ＣＰＵ２０５ａは、ＡＴＭ２００の動作を制御するために、ＲＯＭ２０５ｂに記憶されたプログラムの実行などを行う。たとえば、ＣＰＵ２０５ａは、センサ２０３により紙幣の特徴が読み取られた場合に、センサ２０３の検出結果に基づいて紙幣の特徴量を算出する。ここで、紙幣の特徴量は、紙幣の金種判別や真偽判別に用いられる値であり、１枚の紙幣につき複数算出されている。紙幣の特徴量の一例は、紙幣の所定領域の濃度値である。また、紙幣の特徴量には、紙幣に印刷された記番号も含まれている。そして、ＣＰＵ２０５ａは、算出した紙幣の特徴量を通信部２０４からホストコンピュータ３００に送信する。なお、ＣＰＵ２０５ａによる動作制御については、後で詳細に説明する。
【００２８】
ＲＯＭ２０５ｂは、不揮発性のメモリであり、たとえば、フラッシュメモリである。ＲＯＭ２０５ｂは、ＡＴＭ２００の動作を制御するためのプログラムや、各種設定項目の設定値などを記憶している。ＲＯＭ２０５ｂは、たとえば、紙幣の金種判別用のプログラムや、紙幣の真偽判別用のプログラムなどを記憶している。また、ＲＯＭ２０５ｂは、金種判別用の判別値も記憶している。
【００２９】
ＲＡＭ２０５ｃは、揮発性のメモリであり、たとえば、ＤＲＡＭである。ＲＡＭ２０５ｃは、プログラムが実行される際のデータなどを一時的に記憶する。
【００３０】
また、ＡＴＭ２００には、図２に示すように、入出金口２０６と、搬送ローラ２０７と、鑑別部２０８と、一時保留部２０９と、収納庫２１０と、リジェクト庫２１１とが設けられている。
【００３１】
入出金口２０６は、利用者との間で紙幣の受け渡しを行うために設けられている。搬送ローラ２０７は、紙幣を搬送するために複数設けられている。鑑別部２０８には、センサ２０３（図１参照）が設けられている。一時保留部２０９は、利用者と紙幣の受け渡しを行う際に、紙幣を一時的に保留する。
【００３２】
複数の収納庫２１０には、それぞれ、特定の金種の紙幣が収納される。この収納庫２１０には、出金可能な紙幣（再利用可能な紙幣）が収納される。リジェクト庫２１１には、損券や偽造券などの再利用不可能な紙幣が収納される。
【００３３】
ホストコンピュータ３００は、図１に示すように、通信部３０１と、記憶部３０２と、制御部３０３とを含んでいる。なお、通信部３０１は、本発明の「第２通信部」の一例である。
【００３４】
通信部３０１は、ネットワーク１０１を介してＡＴＭ２００と通信するために設けられている。記憶部３０２には、図３に示すように、紙幣の特徴量（情報）がデータベース（ＤＢ）化して記憶されている。なお、図３のデータベース３０２ａでは、記番号が同じ紙幣が複数登録されているが、一般的に、記番号が同一の紙幣が流通する場合もあり、これらは異なる紙幣である。このように、記番号が同一の紙幣については、その他の特徴量に基づいて、紙幣を一意に特定することが可能である。
【００３５】
また、記憶部３０２は、図４に示すように、紙幣の特徴量毎に、紙幣の真偽判別用の判別値３０２ｂを記憶している。この判別値は、たとえば、最大値と最小値とを有しており、図５に示すように、センサ２０３により真券を読み取った際に算出される特徴量の頻度分布に基づいて予め設定されている。図５のＡmaxは判別値の最大値、Ａminは判別値の最小値を表しており、ＡmaxからＡminまでの範囲が前述の基準範囲となる。この基準範囲は、紙幣自体のばらつき（紙幣の印刷や紙質等のばらつき）を考慮して、ある程度広く設定されている。なお、「特徴量Ｂ」などのその他の特徴量についても、同様に、判別値が予め設定されている。
【００３６】
制御部３０３は、ＣＰＵ、ＲＯＭおよびＲＡＭを含んでおり、ホストコンピュータ３００の動作を制御する。たとえば、制御部３０３は、記憶部３０２に記憶された紙幣の特徴量に基づいて、紙幣の真偽判別用の判別値を算出する。制御部３０３による動作制御については、後で詳細に説明する。
【００３７】
次に、図１〜図１０を参照して、本発明の一実施形態による紙幣処理システム１００の入金取引時の動作について説明する。なお、図６のフローチャートの各ステップは、ＡＴＭ２００の制御部２０５（図１参照）により実行され、図７のフローチャートの各ステップは、ホストコンピュータ３００の制御部３０３（図１参照）により実行される。
【００３８】
まず、ＡＴＭ２００では、図６のステップＳ１において、タッチパネル２０１（図１参照）に表示される種々の取引のうち、入金取引が選択されたか否かが判断される。入金取引が選択されていないと判断される場合には、ステップＳ１が繰り返し行われる。すなわち、ＡＴＭ２００は、入金取引が選択されるまで待機する。そして、入金取引が選択されたと判断されると、ステップＳ２に移る。
【００３９】
次に、ステップＳ２において、所定の期間内に、入出金口２０６（図２参照）に紙幣が投入されたか否かが判断される。この紙幣が投入されたか否かは、図示省略したセンサの検出結果に基づいて判断される。所定の期間が経過しても紙幣が投入されていないと判断される場合には、入金取引が中止される。そして、所定の期間内に紙幣が投入されたと判断されると、ステップＳ３に移る。
【００４０】
次に、ステップＳ３において、モータ２０２（図１参照）を駆動することにより、搬送ローラ２０７（図２参照）が回転して、入出金口２０６に投入された紙幣が鑑別部２０８（図２参照）に搬送される。なお、入出金口２０６に紙幣が複数枚投入されている場合には、紙幣は順に鑑別部２０８に搬送される。
【００４１】
次に、ステップＳ４において、鑑別部２０８に設けられたセンサ２０３（図１参照）により、搬送される紙幣の特徴が読み取られる。そして、ＣＰＵ２０５ａ（図１参照）により、センサ２０３の検出結果に基づいて紙幣の特徴量が算出される。この算出された紙幣の特徴量は、ＲＡＭ２０５ｃに記憶される。
【００４２】
次に、ステップＳ５において、算出された紙幣の特徴量が通信部２０４（図１参照）からネットワーク１０１（図１参照）を介してホストコンピュータ３００に送信される。
【００４３】
そして、ホストコンピュータ３００では、図７のステップＳ２１において、ＡＴＭ２００から送信される紙幣の特徴量を通信部３０１（図１参照）により受信したか否かが判断される。紙幣の特徴量を受信していないと判断される場合には、ステップＳ２１が繰り返し行われる。すなわち、ホストコンピュータ３００は、紙幣の特徴量を受信するまで待機する。そして、紙幣の特徴量を受信したと判断されると、ステップＳ２２に移る。
【００４４】
次に、ステップＳ２２において、センサ２０３により読み取られた紙幣（特徴量を受信した紙幣）が記憶部３０２のデータベース３０２ａ（図３参照）に既に登録されているか否かが判断される。紙幣がデータベース３０２ａに登録されているか否かは、受信した紙幣の特徴量（記番号、および、その他の特徴量）に基づいて判断される。なお、経年変化などにより、受信した紙幣の特徴量がデータベース３０２ａに登録された特徴量から変化している場合にも、複数の特徴量を総合的に判断することにより、紙幣がデータベース３０２ａに登録されているか否かを判断することが可能である。そして、紙幣がデータベース３０２ａに登録されていると判断された場合には、ステップＳ２３に移る。その一方、紙幣がデータベース３０２ａに登録されていないと判断された場合には、ステップＳ２６に移る。
【００４５】
そして、紙幣がデータベース３０２ａに登録されている場合には、ステップＳ２３において、データベース３０２ａに登録された特徴量に基づいて、真偽判別用の判別値が算出される。たとえば、図３において、特徴量を受信した紙幣がデータベース３０２ａの一番上の紙幣である場合には、「ａ１」に基づいて、「特徴量Ａ」用の判別値が算出される。具体的には、図８に示すように、予め設定された基準範囲αよりも基準範囲α´が小さくなるように、「ａ１」に応じた判別値の最大値Ａmax´および最小値Ａmin´が算出される。「特徴量Ｂ」などのその他の特徴量についても、同様に、データベース３０２ａに登録された値に基づいて、予め設定された基準範囲よりも基準範囲が小さくなるように、判別値が算出される。
【００４６】
次に、ステップＳ２４において、算出された判別値（最大値および最小値）が通信部３０１からネットワーク１０１を介してＡＴＭ２００に送信される。その後、ステップＳ２５において、データベース３０２ａが更新される。たとえば、図３において、特徴量を受信した紙幣がデータベース３０２ａの一番上の紙幣である場合において、受信した「特徴量Ａ」の値が「ａ１´」である場合には、図９に示すように、「特徴量Ａ」の値が「ａ１」から「ａ１´」に更新される。なお、「特徴量Ｂ」などのその他の特徴量についても、同様に更新される。
【００４７】
一方、紙幣がデータベース３０２ａに登録されていない場合には、ステップＳ２６において、予め設定された判別値（図４参照）が通信部３０１からネットワーク１０１を介してＡＴＭ２００に送信される。その後、ステップＳ２７において、特徴量を受信した紙幣がデータベース３０２ａに登録される。たとえば、記番号が「ＸＹ９９９９９」であれば、図１０に示すように、紙幣が新たに登録される。
【００４８】
また、ＡＴＭ２００では、図６のステップＳ６において、ステップＳ４で算出された紙幣の特徴量に基づいて、紙幣の金種が判別される。なお、金種の判別は、ＲＯＭ２０５ｂ（図１参照）に記憶された金種判別用のプログラムが実行されることにより、ＲＯＭ２０５ｂに記憶された金種判別用の判別値を用いて行われる。
【００４９】
次に、ステップＳ７において、モータ２０２を駆動することにより、搬送ローラ２０７が回転して、紙幣が鑑別部２０８から一時保留部２０９（図２参照）に搬送される。その後、ステップＳ８において、入出金口２０６に投入された紙幣の金額がタッチパネル２０１に表示される。
【００５０】
次に、ステップＳ９において、入金が指示されたか否かが判断される。具体的には、タッチパネル２０１に入金確認ボタンが表示され、その入金確認ボタンが押されたか否かが判断される。そして、入金が指示されたと判断された場合には、ステップＳ１０に移る。その一方、入金が指示されなかったと判断された場合には、ステップＳ１６において、紙幣を一時保留部２０９から入出金口２０６に搬送する。これにより、紙幣が利用者に返却され、入金取引が中止される。
【００５１】
次に、ステップＳ１０において、ホストコンピュータ３００から送信される判別値を通信部２０４により受信したか否かが判断される。判別値を受信していないと判断される場合には、ステップＳ１０が繰り返し行われる。そして、判別値を受信したと判断されると、ステップＳ１１に移る。
【００５２】
次に、ステップＳ１１において、モータ２０２を駆動することにより、搬送ローラ２０７が回転して、紙幣が一時保留部２０９から鑑別部２０８に搬送される。
【００５３】
次に、ステップＳ１２において、鑑別部２０８に搬送される紙幣の真偽を判別する。具体的には、鑑別部２０８に設けられたセンサ２０３により、搬送される紙幣の特徴が読み取られる。そして、ＣＰＵ２０５ａにより、センサ２０３の検出結果に基づいて紙幣の特徴量が算出される。その後、ＣＰＵ２０５ａにより、算出された特徴量が受信した判別値の範囲（基準範囲）内であるか否かが判断される。
【００５４】
たとえば、紙幣がデータベース３０２ａに登録されていた場合において、「特徴量Ａ」について、受信した判別値が最大値Ａmax´および最小値Ａmin´（図８参照）であれば、α´の範囲内に算出された特徴量の値がある場合に、「特徴量Ａ」において真券であると判断される。その一方、紙幣がデータベース３０２ａに登録されていない場合において、「特徴量Ａ」について、受信した判別値が最大値Ａmaxおよび最小値Ａmin（図８参照）であれば、αの範囲内に算出された特徴量の値がある場合に、「特徴量Ａ」において真券であると判断される。その後、「特徴量Ｂ」などのその他の特徴量についても、同様に、算出された特徴量が受信した判別値の範囲内であるか否かが判断される。そして、それらの結果を総合的に判断することにより、紙幣の真偽が判別される。
【００５５】
次に、ステップＳ１３において、紙幣が真券であるか否かが判断される。そして、紙幣が真券であると判断された場合には、ステップＳ１４において、紙幣を鑑別部２０８から収納庫２１０に搬送する。なお、紙幣が搬送される収納庫２１０は、紙幣の金種に応じて選択される。その一方、紙幣が真券でないと判断された場合には、ステップＳ１５において、紙幣を鑑別部２０８からリジェクト庫２１１に搬送する。
【００５６】
本実施形態では、上記のように、紙幣がデータベース３０２ａに登録されている場合には、紙幣を一意に特定し、当該紙幣の特徴量に応じた判別値を算出することによって、紙幣自体のばらつきを考慮して予め設定された基準範囲（図８のα）よりも狭い基準範囲（図８のα´）を設定することができる。したがって、紙幣に応じて算出された固有の判別値（図８のＡmax´、Ａmin´）を用いて真偽判別することにより、偽造券や損券などが真券であると誤判別されにくくなる。これにより、紙葉類のばらつきの影響を受けずに紙幣の真偽判別を正確に行うことができ、判別精度の向上を図ることができる。
【００５７】
また、本実施形態では、紙幣がデータベース３０２ａに登録されている場合において、紙幣の特徴量を受信した場合に、当該紙幣の特徴量が更新されることによって、たとえば、紙幣が経年変化することにより、紙幣の特徴が変化するような場合にも、適正な判別値を算出することができる。
【００５８】
また、本実施形態では、紙幣がデータベース３０２ａに登録されていない場合にも、予め設定された判別値を用いて紙幣の真偽判別を行うことができる。
【００５９】
また、本実施形態では、紙幣がデータベース３０２ａに登録されていない場合において、紙幣の特徴量を受信した場合に、当該紙幣の特徴量が登録されることによって、次回以降、紙幣の特徴量に応じた判別値を算出することができる。
【００６０】
また、本実施形態では、ホストコンピュータ３００がデータベース３０２ａを有することによって、ＡＴＭ２００がデータベース３０２ａを有する必要がなく、紙幣が異なるＡＴＭ２００で使用された場合にも、正確な判別を行うことができる。
【００６１】
本発明は、上述した以外にも種々の実施形態を採用することができる。たとえば、上記実施形態では、紙幣処理システム１００に本発明を適用する例を示したが、これに限らず、有価証券などのその他の紙葉類を処理する紙葉類処理システムに本発明を適用してもよい。
【００６２】
また、上記実施形態では、入金取引の際に、本発明を適用した真偽判別が行われる例を示したが、これに限らず、出金取引や紙幣補充の際に、本発明を適用した真偽判別が行われるようにしてもよい。
【００６３】
また、上記実施形態おいて、ＲＯＭ２０５ｂが真偽判別用の予め設定された判別値を記憶し、紙幣の金種を判別する際に（ステップＳ６）、紙幣の真偽も判別するようにしてもよい。この場合において、紙幣が真券でないと判断された場合は、当該紙幣をリジェクト庫２１１または入出金口２０６に搬送するようにしてもよい。
【００６４】
また、上記実施形態では、紙幣がデータベース３０２ａに登録されていない場合に、予め設定された判別値が通信部３０１からＡＴＭ２００に送信される例を示したが、これに限らず、ＡＴＭ２００のＲＯＭ２０５ｂに予め設定された判別値が記憶され、紙幣がデータベース３０２ａに登録されていない場合に、ＲＯＭ２０５ｂに記憶された判別値を用いて真偽判別するように、ホストコンピュータ３００がＡＴＭ２００に指示するようにしてもよい。
【００６５】
また、上記実施形態では、鑑別部２０８に搬送される紙幣の真偽を判別する際に（ステップＳ１２）、再度、センサ２０３により紙幣の特徴を読み取り、ＣＰＵ２０５ａにより紙幣の特徴量を算出する例を示したが、これに限らず、ステップＳ４でＲＡＭ２０５ｃに記憶した特徴量を用いて真偽判別するようにしてもよい。
【００６６】
また、上記実施形態では、真券でないと判断された場合に、紙幣をリジェクト庫２１１に搬送する（ステップＳ１５）例を示したが、これに限らず、真券でないと判断された場合に、紙幣を入出金口２０６に搬送することにより、紙幣を利用者に返却するようにしてもよい。
【００６７】
また、上記実施形態おいて、ホストコンピュータ３００の記憶部３０２に、紙幣の特徴量とともに、紙幣が収納されているＡＴＭ２００を識別するための情報が記憶されていてもよい。このように構成すれば、紙幣がどのＡＴＭ２００に収納されているのかを管理することができる。
【００６８】
また、上記実施形態では、判別値として最大値および最小値を示したが、これに限らず、判別値は、１つの閾値であってもよいし、３つ以上の閾値であってもよい。たとえば、算出された特徴量の値が第１の閾値と第２の閾値との間にある場合には、真券であると判断し、算出された特徴量の値が第３の閾値と第４の閾値との間にある場合には、偽造券であると判断するようにしてもよい。
【００６９】
また、上記実施形態では、ＡＴＭ２００により紙幣が読み取られ、ホストコンピュータ３００のデータベース３０２ａに当該紙幣が登録されていない場合に、当該紙幣がデータベース３０２ａに登録される例を示したが、これに限らず、紙幣が流通する前に予めデータベース３０２ａに登録されていてもよい。
【符号の説明】
【００７０】
１００      紙幣処理システム（紙葉類処理システム）
２００      ＡＴＭ（紙葉類判別装置）
２０３      センサ（読取部）
２０４      通信部（第１通信部）
２０５      制御部（判別部）
３００      ホストコンピュータ（紙葉類情報管理装置）
３０１      通信部（第２通信部）
３０２      記憶部
３０３      制御部
【図１】
2012014539.tif 000003
【図２】
2012014539.tif 000004
【図３】
2012014539.tif 000005
【図４】
2012014539.tif 000006
【図５】
2012014539.tif 000007
【図６】
2012014539.tif 000008
【図７】
2012014539.tif 000009
【図８】
2012014539.tif 000010
【図９】
2012014539.tif 000011
【図１０】
2012014539.tif 000012